(57)【要約】【課題】フォーカスジャンプの信頼性を向上させることが可能な情報再生記録装置を提供する。【解決手段】光ピックアップのレーザ光源から発射したレーザ光を、対物レンズで集光して、多層式光記録媒体に照射し、多層式光記録媒体で反射されたレーザ光を光検出器で受光して電気信号に変換し、信号処理回路で該電気信号よりフォーカシングエラー信号およびトラッキングエラー信号を検出し、該各信号に基づいてフォーカシングとトラッキングのサーボを実行して、情報の再生または記録を行う情報再生記録装置において、多層式光記録媒体の一方の記録層に対する情報の再生等が終了すると、フォーカシングとトラッキングのサーボをＯＦＦした状態で、レーザ光源から発射するレーザ光のパワーを上げることにより、フォーカシングエラー信号の振幅を最適に保ちつつ、フォーカスジャンプを実行する。【選択図】図２
2008034058.tif 000002
【特許請求の範囲】
【請求項１】
レーザ光源から発射したレーザ光を対物レンズで集光して、複数の記録層を有する多層式光記録媒体に照射し、該レーザ光の収差を収差補正手段で前記多層式光記録媒体の各記録層に応じて補正し、前記多層式光記録媒体で反射されたレーザ光を光検出手段で受光して電気信号に変換する光ピックアップと、
前記電気信号を処理してフォーカシングエラー信号およびトラッキングエラー信号を検出する信号処理手段と、
前記フォーカシングエラー信号に基づいてフォーカシングサーボを実行し、前記トラッキングエラー信号に基づいてトラッキングサーボを実行するサーボ手段と、
各部を制御し、レーザ光の焦点位置を前記多層式光記録媒体の一方の記録層から他方の記録層へと移動するフォーカスジャンプを実行する制御手段とを備え、前記多層式光記録媒体に対して情報の再生または記録を行う情報再生記録装置において、
前記制御手段は、
前記サーボ手段による前記多層式光記録媒体の一方の記録層に対する前記トラッキングサーボおよび前記フォーカシングサーボをオフした後、前記フォーカスジャンプを実行し、
前記フォーカスジャンプの実行前または実行と同時に、前記収差補正手段の駆動信号を前記多層式光記録媒体の一方の記録層に適した収差補正値に対応する駆動信号から他方の記録層に適した収差補正値に対応する駆動信号へ変更し、
前記フォーカスジャンプの実行中に、前記レーザ光源から発射するレーザ光のパワーを上げることにより、前記フォーカシングエラー信号の振幅を最適に保ち、
前記フォーカシングエラー信号に基づいて前記レーザ光の焦点位置が他方の記録層に合ったことを検出すると、該合焦状態を維持するように前記フォーカシングサーボをオンし、前記収差補正手段の応答状態に応じて前記レーザ光のパワーを下げ、前記他方の記録層に対する前記トラッキングサーボをオンすることを特徴とする情報再生記録装置。
【請求項２】
レーザ光源から発射したレーザ光を対物レンズで集光して、複数の記録層を有する多層式光記録媒体に照射し、該レーザ光の収差を収差補正手段で前記多層式光記録媒体の各記録層に応じて補正し、前記多層式光記録媒体で反射されたレーザ光を光検出手段で受光して電気信号に変換する光ピックアップと、
前記電気信号を処理してフォーカシングエラー信号およびトラッキングエラー信号を検出する信号処理手段と、
前記フォーカシングエラー信号に基づいてフォーカシングサーボを実行し、前記トラッキングエラー信号に基づいてトラッキングサーボを実行するサーボ手段と、
各部を制御し、レーザ光の焦点位置を前記多層式光記録媒体の一方の記録層から他方の記録層へと移動するフォーカスジャンプを実行する制御手段とを備え、前記多層式光記録媒体に対して情報の再生または記録を行う情報再生記録装置において、
前記光検出手段で変換された電気信号を増幅して前記信号処理手段に出力する増幅手段を備え、
前記制御手段は、
前記サーボ手段による前記多層式光記録媒体の一方の記録層に対する前記トラッキングサーボをオフした後、前記収差補正手段の駆動信号を前記多層式光記録媒体の一方の記録層に適した収差補正値に対応する駆動信号から他方の記録層に適した収差補正値に対応する駆動信号へ変更し、前記フォーカシングサーボをオフして、前記レーザ光の焦点位置を前記多層式光記録媒体の一方の記録層から他方の記録層側へ若干ずらすデフォーカスを行い、
その後前記増幅手段による前記電気信号の増幅度合いと前記レーザ光源から発射するレーザ光のパワーとを上げることにより、前記フォーカシングエラー信号の振幅を最適に保って、前記フォーカスジャンプを実行し、
前記フォーカシングエラー信号に基づいて前記レーザ光の焦点位置が他方の記録層に合ったことを検出すると、該合焦状態を維持するように前記フォーカシングサーボをオンし、前記収差補正手段の応答状態に応じて前記電気信号の増幅度合いと前記レーザ光のパワーとを下げ、前記他方の記録層に対する前記トラッキングサーボをオンすることを特徴とする情報再生記録装置。
【請求項３】
レーザ光源から発射したレーザ光を対物レンズで集光して、複数の記録層を有する多層式光記録媒体に照射し、前記多層式光記録媒体で反射されたレーザ光を光検出手段で受光して電気信号に変換する光ピックアップと、
前記電気信号を処理してフォーカシングエラー信号およびトラッキングエラー信号を検出する信号処理手段と、
前記フォーカシングエラー信号に基づいてフォーカシングサーボを実行し、前記トラッキングエラー信号に基づいてトラッキングサーボを実行するサーボ手段と、
各部を制御し、レーザ光の焦点位置を前記多層式光記録媒体の一方の記録層から他方の記録層へと移動するフォーカスジャンプを実行する制御手段とを備え、前記多層式光記録媒体に対して情報の再生または記録を行う情報再生記録装置において、
前記制御手段は、前記レーザ光源から発射するレーザ光のパワーを上げることにより、前記フォーカシングエラー信号の振幅を最適に保ちつつ、前記フォーカスジャンプを実行することを特徴とする情報再生記録装置。
【請求項４】
請求項３に記載の情報再生記録装置において、
前記多層式光記録媒体に照射するレーザ光の収差を前記各記録層に応じて補正する収差補正手段を備え、
前記制御手段は、前記収差補正手段の駆動信号を前記多層式光記録媒体の一方の記録層に適した収差補正値に対応する駆動信号から他方の記録層に適した収差補正値に対応する駆動信号へ変更してから、前記レーザ光のパワーを上げて前記フォーカシングエラー信号の振幅を最適に保ちつつ、前記フォーカスジャンプを実行し、該フォーカシングエラー信号に基づいてレーザ光の焦点位置が他方の記録層に合ったことを検出すると、前記収差補正手段の応答状態に応じて前記レーザ光のパワーを下げることを特徴とする情報再生記録装置。
【請求項５】
レーザ光源から発射したレーザ光を対物レンズで集光して、複数の記録層を有する多層式光記録媒体に照射し、前記多層式光記録媒体で反射されたレーザ光を光検出手段で受光して電気信号に変換する光ピックアップと、
前記電気信号を処理してフォーカシングエラー信号およびトラッキングエラー信号を検出する信号処理手段と、
前記フォーカシングエラー信号に基づいてフォーカシングサーボを実行し、前記トラッキングエラー信号に基づいてトラッキングサーボを実行するサーボ手段と、
各部を制御し、レーザ光の焦点位置を前記多層式光記録媒体の一方の記録層から他方の記録層へと移動するフォーカスジャンプを実行する制御手段とを備え、前記多層式光記録媒体に対して情報の再生または記録を行う情報再生記録装置において、
前記光検出手段で変換された電気信号を増幅して前記信号処理手段に出力する増幅手段を備え、
前記制御手段は、前記増幅手段の前記電気信号の増幅度合いと前記レーザ光源から発射するレーザ光のパワーとを上げることにより、前記フォーカシングエラー信号の振幅を最適に保ちつつ、前記フォーカスジャンプを実行することを特徴とする情報再生記録装置。
【請求項６】
請求項５に記載の情報再生記録装置において、
前記多層式光記録媒体に照射するレーザ光の収差を前記各記録層に応じて補正する収差補正手段を備え、
前記制御手段は、前記収差補正手段の駆動信号を前記多層式光記録媒体の一方の記録層に適した収差補正値に対応する駆動信号から他方の記録層に適した収差補正値に対応する駆動信号へ変更してから、前記電気信号の増幅度合いと前記レーザ光のパワーとを上げて前記フォーカシングエラー信号の振幅を最適に保ちつつ、前記フォーカスジャンプを実行し、該フォーカシングエラー信号に基づいてレーザ光の焦点位置が他方の記録層に合ったことを検出すると、前記収差補正手段の応答状態に応じて前記電気信号の増幅度合いと前記レーザ光のパワーとを下げることを特徴とする情報再生記録装置。
【請求項７】
請求項５または請求項６に記載の情報再生記録装置において、
前記制御手段は、前記レーザ光の焦点位置を前記多層式光記録媒体の一方の記録層から他方の記録層側へ若干ずらすデフォーカスを行ってから、前記レーザ光のパワーを上げることを特徴とする情報再生記録装置。
【請求項８】
請求項３または請求項５に記載の情報再生記録装置において、
前記多層式光記録媒体に照射するレーザ光の収差を前記各記録層に応じて補正する収差補正手段を備え、
前記制御手段は、前記収差補正手段の駆動信号を、前記多層式光記録媒体の一方の記録層に適した収差補正値に対応する駆動信号から、他方の記録層に適した収差補正値に対応する駆動信号を超える過剰駆動信号へ一旦変更した後、他方の記録層に適した収差補正値に対応する駆動信号へ変更することにより、前記収差補正手段の応答時間を短縮しつつ、前記フォーカスジャンプを実行することを特徴とする情報再生記録装置。
【請求項９】
レーザ光源から発射したレーザ光を対物レンズで集光して、複数の記録層を有する多層式光記録媒体に照射し、該レーザ光の収差を収差補正手段で前記多層式光記録媒体の各記録層に応じて補正し、前記多層式光記録媒体で反射されたレーザ光を光検出手段で受光して電気信号に変換する光ピックアップと、
前記電気信号を処理してフォーカシングエラー信号およびトラッキングエラー信号を検出する信号処理手段と、
前記フォーカシングエラー信号に基づいてフォーカシングサーボを実行し、前記トラッキングエラー信号に基づいてトラッキングサーボを実行するサーボ手段と、
各部を制御し、レーザ光の焦点位置を前記多層式光記録媒体の一方の記録層から他方の記録層へと移動するフォーカスジャンプを実行する制御手段とを備え、前記多層式光記録媒体に対して情報の再生または記録を行う情報再生記録装置において、
前記制御手段は、前記収差補正手段の駆動信号を、前記多層式光記録媒体の一方の記録層に適した収差補正値に対応する駆動信号から、他方の記録層に適した収差補正値に対応する駆動信号を超える過剰駆動信号へ一旦変更した後、他方の記録層に適した収差補正値に対応する駆動信号へ変更して、前記収差補正手段の応答時間を短縮することにより、前記フォーカシングエラー信号の振幅を最適に保ちつつ、前記フォーカスジャンプを実行することを特徴とする情報再生記録装置。
【請求項１０】
請求項９に記載の情報再生記録装置において、
前記光検出手段で変換された電気信号を増幅して前記信号処理手段に出力する増幅手段を備え、
前記制御手段は、前記収差補正手段の応答時間を短縮することと、前記増幅手段の前記電気信号の増幅度合いを上げることにより、前記フォーカシングエラー信号の振幅を最適に保ちつつ、前記フォーカスジャンプを実行することを特徴とする情報再生記録装置。
【請求項１１】
レーザ光源から発射したレーザ光を対物レンズで集光して、複数の記録層を有する多層式光記録媒体に照射し、前記多層式光記録媒体で反射されたレーザ光を光検出手段で受光して電気信号に変換する光ピックアップと、
前記電気信号を処理してフォーカシングエラー信号およびトラッキングエラー信号を検出する信号処理手段と、
前記フォーカシングエラー信号に基づいてフォーカシングサーボを実行し、前記トラッキングエラー信号に基づいてトラッキングサーボを実行するサーボ手段と、
各部を制御し、レーザ光の焦点位置を前記多層式光記録媒体の一方の記録層から他方の記録層へと移動するフォーカスジャンプを実行する制御手段とを備え、前記多層式光記録媒体に対して情報の再生または記録を行う情報再生記録装置において、
前記光検出手段で変換された電気信号を増幅して前記信号処理手段に出力する増幅手段を備え、
前記制御手段は、前記増幅手段の前記電気信号の増幅度合いを上げることにより、前記フォーカシングエラー信号の振幅を最適に保ちつつ、前記フォーカスジャンプを実行することを特徴とする情報再生記録装置。
【発明の詳細な説明】
【技術分野】
【０００１】
本発明は、複数の記録層を有する多層式光記録媒体に照射したレーザ光の焦点位置を、一方の記録層から他方の記録層へと移動するフォーカスジャンプを行う情報再生記録装置に関するものである。
【背景技術】
【０００２】
例えばＤＶＤ（Ｄｉｇｉｔａｌ  Ｖｅｒｓａｔｉｌｅ  Ｄｉｓｃ）等の光記録媒体には、片面側から情報の再生や記録が可能な複数の記録層が積層されて設けられたものがある。このような多層式光記録媒体に対して情報の再生や記録が可能な情報再生記録装置では、情報の再生時等に光ピックアップを駆動して、多層式光記録媒体の片面側からいずれかの記録層にレーザ光を照射し、該記録層で反射したレーザ光よりフォーカシングエラー信号やトラッキングエラー信号等を検出し、該信号に基づいてフォーカシングサーボやトラッキングサーボを行う。また、多層式光記録媒体の一方の記録層に対する情報の再生等が終了すると、フォーカシングエラー信号に基づいて光ピックアップを駆動して、レーザ光の焦点位置を一方の記録層から他方の記録層へと移動するフォーカスジャンプを行う。
【０００３】
フォーカスジャンプの際、多層式光記録媒体の表面から各記録層までに介在する基材の厚み差等により、レーザ光に収差が発生する。また、レーザ光の収差を補正するために液晶素子等の収差補正手段が用いられているが、該収差補正手段の収差補正状態を多層式光記録媒体の一方の記録層に適した状態から他方の記録層に適した状態に切り換えるのにかかる時間は、フォーカスジャンプにかかる時間より長いため、レーザ光の焦点位置を他方の記録層へ移動したときに、収差が適切に補正されずに残ってしまう。このような収差は、フォーカシングエラー信号の振幅を低下させて、フォーカス引き込みの失敗や、光ピックアップの対物レンズと多層式光記録媒体との衝突等を生じさせる。
【０００４】
従来の情報再生記録装置では、トラッキングサーボをオフ（トラッキングサーボループをオープン）にして、収差補正手段による収差補正状態の切り換えが完了してから、フォーカスジャンプを実行している（例えば、特許文献１参照）。また、フォーカスジャンプを実行すると共に、収差補正手段の収差補正状態を切り換え、増幅器のゲインを補正してフォーカシングエラー信号を増幅することにより、ゲインサーボを適切に保っている（例えば、特許文献２参照）。
【０００５】
【特許文献１】特開２００４−３２６９３６号公報
【特許文献２】特開２００４−３４２２２１号公報
【発明の開示】
【発明が解決しようとする課題】
【０００６】
本発明は以上の問題を解決するものであって、その課題とするところは、フォーカスジャンプの信頼性を向上させることが可能な情報再生記録装置を提供することにある。
【課題を解決するための手段】
【０００７】
本発明は、レーザ光源から発射したレーザ光を対物レンズで集光して、複数の記録層を有する多層式光記録媒体に照射し、多層式光記録媒体で反射されたレーザ光を光検出手段で受光して電気信号に変換する光ピックアップと、該電気信号を処理してフォーカシングエラー信号およびトラッキングエラー信号を検出する信号処理手段と、フォーカシングエラー信号に基づいてフォーカシングサーボを実行し、トラッキングエラー信号に基づいてトラッキングサーボを実行するサーボ手段と、各部を制御し、レーザ光の焦点位置を多層式光記録媒体の一方の記録層から他方の記録層へと移動するフォーカスジャンプを実行する制御手段とを備え、多層式光記録媒体に対して情報の再生または記録を行う情報再生記録装置において、制御手段は、レーザ光源から発射するレーザ光のパワーを上げることにより、フォーカシングエラー信号の振幅を最適に保ちつつ、フォーカスジャンプを実行する。
【０００８】
このようにすると、フォーカスジャンプの際に、多層式光記録媒体に照射するレーザ光に収差が生じていても、フォーカシングエラー信号の振幅を低下させることなく、最適（レーザ光の焦点位置を一方の記録層から移動させて他方の記録層に合わせて、フォーカシングサーボを行える程度）に保つことができる。このため、該フォーカシングエラー信号に基づいてフォーカスジャンプを安定かつ高精度に実行することができ、フォーカス引き込みの失敗や光ピックアップの対物レンズと多層式光記録媒体との衝突等の発生を防止して、フォーカスジャンプの信頼性を向上させることが可能となる。
【０００９】
また、本発明では、上記情報再生記録装置において、多層式光記録媒体に照射するレーザ光の収差を各記録層に応じて補正する収差補正手段を備え、制御手段は、収差補正手段の駆動信号を多層式光記録媒体の一方の記録層に適した収差補正値に対応する駆動信号から他方の記録層に適した収差補正値に対応する駆動信号へ変更してから、レーザ光のパワーを上げてフォーカシングエラー信号の振幅を最適に保ちつつ、フォーカスジャンプを実行し、該フォーカシングエラー信号に基づいてレーザ光の焦点位置が他方の記録層に合ったことを検出すると、収差補正手段の応答状態に応じてレーザ光のパワーを下げる。
【００１０】
このように、収差補正手段の駆動信号の切り換え、即ち収差補正値の切り換えを開始してから、フォーカスジャンプを実行することで、従来のように収差補正状態の切り替えが完了してからフォーカスジャンプを開始するよりも、フォーカスジャンプの開始時刻を早めることができるとともに、フォーカスジャンプを終了してから収差補正値の切り換えが終了するまでにかかる時間を短縮することができ、全体の処理時間の短縮を図ることが可能となる。また、フォーカスジャンプの終了直後は、フォーカスジャンプ時間（レーザ光の焦点位置を多層式光記録媒体の一方の記録層から他方の記録層へ移動させるまでにかかる時間）に対する収差補正手段の応答時間（収差補正手段の収差補正値を多層式光記録媒体の一方の記録層に適した値から他方の記録層に適した値に切り換えるまでにかかる時間）の遅れにより、収差が適切に補正されずに残っているため、レーザ光のパワーを短時間で一気に下げると、該収差によりフォーカシングエラー信号の振幅が低下してしまう。然るに、上記のように収差補正手段の応答状態に応じてレーザ光のパワーを下げることで、フォーカスジャンプの終了後に、フォーカシングエラー信号の振幅を上記収差により低下させることなく、最適に保つことができ、該フォーカシングエラー信号に基づいてフォーカシングサーボを安定かつ高精度に実行して、レーザ光の焦点位置が他方の記録層からずれるのを防止することが可能となる。
【００１１】
また、本発明では、レーザ光源から発射したレーザ光を対物レンズで集光して、複数の記録層を有する多層式光記録媒体に照射し、多層式光記録媒体で反射されたレーザ光を光検出手段で受光して電気信号に変換する光ピックアップと、該電気信号を処理してフォーカシングエラー信号およびトラッキングエラー信号を検出する信号処理手段と、フォーカシングエラー信号に基づいてフォーカシングサーボを実行し、トラッキングエラー信号に基づいてトラッキングサーボを実行するサーボ手段と、各部を制御し、レーザ光の焦点位置を多層式光記録媒体の一方の記録層から他方の記録層へと移動するフォーカスジャンプを実行する制御手段とを備え、多層式光記録媒体に対して情報の再生または記録を行う情報再生記録装置において、光検出手段で変換された電気信号を増幅して信号処理手段に出力する増幅手段を備え、制御手段は、増幅手段の電気信号の増幅度合いとレーザ光源から発射するレーザ光のパワーとを上げることにより、フォーカシングエラー信号の振幅を最適に保ちつつ、フォーカスジャンプを実行する。
【００１２】
レーザ光のパワーを上げ過ぎると、多層式光記録媒体の記録層の記録情報（ピット等）を劣化させてしまうおそれがある。然るに、上記のようにすると、フォーカスジャンプの際に、多層式光記録媒体に照射するレーザ光に収差が生じていても、増幅手段の電気信号の増幅度合いを上げて、さらにレーザ光のパワーを記録層の記録情報を劣化させない程度に上げることで、フォーカシングエラー信号の振幅を最適に保ちつつ、記録層の記録情報を保護することができる。このため、該フォーカシングエラー信号に基づいてフォーカスジャンプを安定かつ高精度に実行することができ、フォーカス引き込みの失敗や光ピックアップの対物レンズと多層式光記録媒体との衝突等の発生を防止して、フォーカスジャンプの信頼性を向上させることが可能となる。
【００１３】
また、本発明では、上記情報再生記録装置において、多層式光記録媒体に照射するレーザ光の収差を各記録層に応じて補正する収差補正手段を備え、制御手段は、収差補正手段の駆動信号を多層式光記録媒体の一方の記録層に適した収差補正値に対応する駆動信号から他方の記録層に適した収差補正値に対応する駆動信号へ変更してから、上記電気信号の増幅度合いとレーザ光のパワーとを上げてフォーカシングエラー信号の振幅を最適に保ちつつ、フォーカスジャンプを実行し、該フォーカシングエラー信号に基づいてレーザ光の焦点位置が他方の記録層に合ったことを検出すると、収差補正手段の応答状態に応じて上記電気信号の増幅度合いとレーザ光のパワーとを下げる。
【００１４】
このように、収差補正手段の収差補正値の切り換えを開始してから、フォーカスジャンプを実行することで、従来のように収差補正状態の切り替えが完了してからフォーカスジャンプを開始するよりも、フォーカスジャンプの開始時刻を早めることができるとともに、フォーカスジャンプを終了してから収差補正値の切り換えが終了するまでにかかる時間を短縮することができ、全体の処理時間の短縮を図ることが可能となる。また、増幅手段の電気信号の増幅度合いとレーザ光のパワーとを上げてから、フォーカスジャンプを実行することで、振幅を最適に保ったフォーカシングエラー信号に基づいて、レーザ光の焦点位置を一方の記録層から他方の記録層へ移動させて高精度に合わせることができる。さらに、収差補正手段の応答状態に応じて増幅手段の電気信号の増幅度合いとレーザ光のパワーとを下げることで、フォーカスジャンプの終了後に、フォーカシングエラー信号の振幅を収差により低下させることなく、最適に保つことができ、該フォーカシングエラー信号に基づいてフォーカシングサーボを安定かつ高精度に実行して、レーザ光の焦点位置が他方の記録層からずれるのを防止することが可能となる。
【００１５】
また、本発明では、上記情報再生記録装置において、制御手段は、レーザ光の焦点位置を多層式光記録媒体の一方の記録層から他方の記録層側へ若干ずらすデフォーカスを行ってから、レーザ光のパワーを上げる。
【００１６】
フォーカスジャンプの開始前に、レーザ光の焦点位置を一方の記録層に合わせた状態で、レーザ光のパワーを上げると、一方の記録層の記録情報を劣化させてしまうおそれがある。然るに、上記のようにデフォーカスを行ってからレーザ光のパワーを上げることで、一方の記録層の記録情報の劣化を防止して、該記録情報を保護することができる。
【００１７】
また、本発明では、上記情報再生記録装置において、多層式光記録媒体に照射するレーザ光の収差を各記録層に応じて補正する収差補正手段を備え、制御手段は、収差補正手段の駆動信号を、多層式光記録媒体の一方の記録層に適した収差補正値に対応する駆動信号から、他方の記録層に適した収差補正値に対応する駆動信号を超える過剰駆動信号へ一旦変更した後、他方の記録層に適した収差補正値に対応する駆動信号へ変更することにより、収差補正手段の応答時間を短縮しつつ、フォーカスジャンプを実行する。
【００１８】
このようにすると、フォーカスジャンプの実行中に、収差補正手段によりレーザ光の収差を適切に補正して、フォーカシングエラー信号の振幅を最適に保つことができるので、該フォーカシングエラー信号に基づいてフォーカスジャンプを安定かつ高精度に実行して、フォーカスジャンプの信頼性を向上させることが可能となる。
【００１９】
また、本発明では、レーザ光源から発射したレーザ光を対物レンズで集光して、複数の記録層を有する多層式光記録媒体に照射し、該レーザ光の収差を収差補正手段で多層式光記録媒体の各記録層に応じて補正し、多層式光記録媒体で反射されたレーザ光を光検出手段で受光して電気信号に変換する光ピックアップと、該電気信号を処理してフォーカシングエラー信号およびトラッキングエラー信号を検出する信号処理手段と、フォーカシングエラー信号に基づいてフォーカシングサーボを実行し、トラッキングエラー信号に基づいてトラッキングサーボを実行するサーボ手段と、各部を制御し、レーザ光の焦点位置を多層式光記録媒体の一方の記録層から他方の記録層へと移動するフォーカスジャンプを実行する制御手段とを備え、多層式光記録媒体に対して情報の再生または記録を行う情報再生記録装置において、制御手段は、収差補正手段の駆動信号を、多層式光記録媒体の一方の記録層に適した収差補正値に対応する駆動信号から、他方の記録層に適した収差補正値に対応する駆動信号を超える過剰駆動信号へ一旦変更した後、他方の記録層に適した収差補正値に対応する駆動信号へ変更して、収差補正手段の応答時間を短縮することにより、フォーカシングエラー信号の振幅を最適に保ちつつ、フォーカスジャンプを実行する。
【００２０】
このようにすると、フォーカスジャンプの際に、収差補正手段によりレーザ光の収差を適切に補正して、フォーカシングエラー信号の振幅を最適に保つことができるので、該フォーカシングエラー信号に基づいてフォーカスジャンプを安定かつ高精度に実行して、フォーカスジャンプの信頼性を向上させることが可能となる。
【００２１】
また、本発明では、上記情報再生記録装置において、光検出手段で変換された電気信号を増幅して信号処理手段に出力する増幅手段を備え、制御手段は、収差補正手段の応答時間を短縮することと、増幅手段の電気信号の増幅度合いを上げることにより、フォーカシングエラー信号の振幅を最適に保ちつつ、フォーカスジャンプを実行する。
【００２２】
このようにすると、フォーカスジャンプの際に、収差補正手段の収差補正値が多層式光記録媒体の一方の記録層に適した値から他方の記録層に適した値に切り換わるまでの間、即ちレーザ光の収差が適切に補正されていない間は、増幅手段の電気信号の増幅度合いを上げることにより、フォーカシングエラー信号の振幅を最適に保つことができ、収差補正値の切り換え終了後は、レーザ光の収差が適切に補正されて、フォーカシングエラー信号の振幅を最適に保つことができる。
【００２３】
また、本発明では、レーザ光源から発射したレーザ光を対物レンズで集光して、複数の記録層を有する多層式光記録媒体に照射し、多層式光記録媒体で反射されたレーザ光を光検出手段で受光して電気信号に変換する光ピックアップと、該電気信号を処理してフォーカシングエラー信号およびトラッキングエラー信号を検出する信号処理手段と、フォーカシングエラー信号に基づいてフォーカシングサーボを実行し、トラッキングエラー信号に基づいてトラッキングサーボを実行するサーボ手段と、各部を制御し、レーザ光の焦点位置を多層式光記録媒体の一方の記録層から他方の記録層へと移動するフォーカスジャンプを実行する制御手段とを備え、多層式光記録媒体に対して情報の再生または記録を行う情報再生記録装置において、光検出手段で変換された電気信号を増幅して信号処理手段に出力する増幅手段を備え、制御手段は、増幅手段の電気信号の増幅度合いを上げることにより、フォーカシングエラー信号の振幅を最適に保ちつつ、フォーカスジャンプを実行する。
【００２４】
このようにすると、フォーカスジャンプの際に、光検出手段で変換された電気信号を増幅手段で適切に増幅して、フォーカシングエラー信号の振幅を最適に保つことができるので、該フォーカシングエラー信号に基づいてフォーカスジャンプを安定かつ高精度に実行して、フォーカスジャンプの信頼性を向上させることが可能となる。
【００２５】
また、本発明では、レーザ光源から発射したレーザ光を対物レンズで集光して、複数の記録層を有する多層式光記録媒体に照射し、該レーザ光の収差を収差補正手段で多層式光記録媒体の各記録層に応じて補正し、多層式光記録媒体で反射されたレーザ光を光検出手段で受光して電気信号に変換する光ピックアップと、該電気信号を処理してフォーカシングエラー信号およびトラッキングエラー信号を検出する信号処理手段と、フォーカシングエラー信号に基づいてフォーカシングサーボを実行し、トラッキングエラー信号に基づいてトラッキングサーボを実行するサーボ手段と、各部を制御し、レーザ光の焦点位置を多層式光記録媒体の一方の記録層から他方の記録層へと移動するフォーカスジャンプを実行する制御手段とを備え、多層式光記録媒体に対して情報の再生または記録を行う情報再生記録装置において、制御手段は、サーボ手段による多層式光記録媒体の一方の記録層に対するトラッキングサーボおよびフォーカシングサーボをオフした後、フォーカスジャンプを実行し、フォーカスジャンプの実行前または実行と同時に、収差補正手段の駆動信号を多層式光記録媒体の一方の記録層に適した収差補正値に対応する駆動信号から他方の記録層に適した収差補正値に対応する駆動信号へ変更し、フォーカスジャンプの実行中に、レーザ光源から発射するレーザ光のパワーを上げることにより、フォーカシングエラー信号の振幅を最適に保ち、フォーカシングエラー信号に基づいてレーザ光の焦点位置が他方の記録層に合ったことを検出すると、該合焦状態を維持するようにフォーカシングサーボをオンし、収差補正手段の応答状態に応じてレーザ光のパワーを下げ、他方の記録層に対するトラッキングサーボをオンする。
【００２６】
このようにすると、フォーカスジャンプの際に、多層式光記録媒体に照射するレーザ光に収差が生じていても、レーザ光源から発射するレーザ光のパワーを上げることにより、フォーカシングエラー信号の振幅を最適に保つことができる。このため、該フォーカシングエラー信号に基づいてフォーカスジャンプを安定かつ高精度に実行することができ、フォーカス引き込みの失敗や光ピックアップの対物レンズと多層式光記録媒体との衝突等の発生を防止して、フォーカスジャンプの信頼性を向上させることが可能となる。また、フォーカスジャンプの実行前にまたは実行と同時に、収差補正手段の収差補正値の切り換えを開始することで、フォーカスジャンプの開始時刻を早めることができるとともに、フォーカスジャンプを終了してから収差補正値の切り換えが終了するまでにかかる時間を短縮することができ、全体の処理時間の短縮を図ることが可能となる。また、フォーカスジャンプの終了後に、収差補正手段の応答状態に応じてレーザ光のパワーを下げることで、フォーカシングエラー信号の振幅を収差により低下させることなく、最適に保つことができ、該フォーカシングエラー信号に基づいてフォーカシングサーボを安定かつ高精度に実行して、レーザ光の焦点位置が他方の記録層からずれるのを防止することが可能となる。さらに、フォーカスジャンプと収差補正手段の収差補正値の切り換えの実行中に、トラッキングサーボおよびフォーカシングサーボをオフすることで、トラッキングサーボおよびフォーカシングサーボが大きく外れて、光ピックアップがトラッキング方向（多層式光記録媒体の径方向）およびフォーカシング方向（多層式光記録媒体に対して垂直な方向）に大きく振れて振動するのを防止することができ、光ピックアップの対物レンズと多層式光記録媒体との衝突を確実に回避することが可能となる。
【００２７】
さらに、本発明では、レーザ光源から発射したレーザ光を対物レンズで集光して、複数の記録層を有する多層式光記録媒体に照射し、該レーザ光の収差を収差補正手段で多層式光記録媒体の各記録層に応じて補正し、多層式光記録媒体で反射されたレーザ光を光検出手段で受光して電気信号に変換する光ピックアップと、該電気信号を処理してフォーカシングエラー信号およびトラッキングエラー信号を検出する信号処理手段と、フォーカシングエラー信号に基づいてフォーカシングサーボを実行し、トラッキングエラー信号に基づいてトラッキングサーボを実行するサーボ手段と、各部を制御し、レーザ光の焦点位置を多層式光記録媒体の一方の記録層から他方の記録層へと移動するフォーカスジャンプを実行する制御手段とを備え、多層式光記録媒体に対して情報の再生または記録を行う情報再生記録装置において、光検出手段で変換された電気信号を増幅して信号処理手段に出力する増幅手段を備え、制御手段は、サーボ手段による多層式光記録媒体の一方の記録層に対するトラッキングサーボをオフした後、収差補正手段の駆動信号を多層式光記録媒体の一方の記録層に適した収差補正値に対応する駆動信号から他方の記録層に適した収差補正値に対応する駆動信号へ変更し、フォーカシングサーボをオフして、レーザ光の焦点位置を前記多層式光記録媒体の一方の記録層から他方の記録層側へ若干ずらすデフォーカスを行い、その後増幅手段による上記電気信号の増幅度合いとレーザ光源から発射するレーザ光のパワーとを上げることにより、フォーカシングエラー信号の振幅を最適に保って、フォーカスジャンプを実行し、フォーカシングエラー信号に基づいてレーザ光の焦点位置が他方の記録層に合ったことを検出すると、該合焦状態を維持するようにフォーカシングサーボをオンし、収差補正手段の応答状態に応じて上記電気信号の増幅度合いとレーザ光のパワーとを下げ、他方の記録層に対する前記トラッキングサーボをオンする。
【００２８】
このようにすると、フォーカスジャンプの際に、多層式光記録媒体に照射するレーザ光に収差が生じていても、増幅手段の電気信号の増幅度合いを上げて、さらにレーザ光のパワーを記録層の記録情報を劣化させない程度に上げることでフォーカシングエラー信号の振幅を最適に保ちつつ、記録層の記録情報を保護することができる。このため、該フォーカシングエラー信号に基づいてフォーカスジャンプを安定かつ高精度に実行することができ、フォーカス引き込みの失敗や光ピックアップの対物レンズと多層式光記録媒体との衝突等の発生を防止して、フォーカスジャンプの信頼性を向上させることが可能となる。また、収差補正手段の収差補正値の切り換えを開始してから、フォーカスジャンプを実行することで、フォーカスジャンプの開始時刻を早めることができるとともに、フォーカスジャンプを終了してから収差補正値の切り換えが終了するまでにかかる時間を短縮することができ、全体の処理時間の短縮を図ることが可能となる。また、増幅手段の電気信号の増幅度合いとレーザ光のパワーとを上げてから、フォーカスジャンプを実行することで、振幅を最適に保ったフォーカシングエラー信号に基づいて、レーザ光の焦点位置を一方の記録層から他方の記録層へ移動させて高精度に合わせることができる。また、収差補正手段の応答状態に応じて増幅手段の電気信号の増幅度合いとレーザ光のパワーとを下げることで、フォーカスジャンプの終了後に、フォーカシングエラー信号の振幅を収差により低下させることなく、最適に保つことができ、該フォーカシングエラー信号に基づいてフォーカシングサーボを安定かつ高精度に実行して、レーザ光の焦点位置が他方の記録層からずれるのを防止することが可能となる。また、デフォーカスを行ってからレーザ光のパワーを上げることで、多層式光記録媒体の一方の記録層の記録情報の劣化を防止して、該記録情報を保護することができる。さらに、フォーカスジャンプと収差補正手段の収差補正値の切り換えの実行中に、トラッキングサーボおよびフォーカシングサーボをオフすることで、トラッキングサーボおよびフォーカシングサーボが大きく外れて、光ピックアップがトラッキング方向およびフォーカシング方向に大きく振れて振動するのを防止することができ、光ピックアップの対物レンズと多層式光記録媒体との衝突を確実に回避することが可能となる。
【発明の効果】
【００２９】
本発明によれば、フォーカスジャンプの際に、フォーカシングエラー信号の振幅を最適に保つので、フォーカスジャンプを安定かつ高精度に実行して、フォーカスジャンプの信頼性を向上させることが可能となる。
【発明を実施するための最良の形態】
【００３０】
図１は、本発明の実施形態に係る情報再生記録装置１０の構成図である。情報再生記録装置１０は、多層式光記録媒体１に対して情報の再生または記録を行う。多層式光記録媒体１は、片面側から情報の再生や記録が可能な複数の記録層Ｌ０、Ｌ１が積層されて設けられたＤＶＤ（Ｄｉｇｉｔａｌ  Ｖｅｒｓａｔｉｌｅ  Ｄｉｓｃ）等の光ディスクから成る。光ピックアップ２は、レーザ光源３、カップリングレンズ４、プリズム５、集光レンズ６、光検出器７、収差補正素子８、対物レンズ９、およびアクチュエータ１１から成る。レーザ光源３は、例えば半導体レーザ素子から成る。収差補正素子８は、例えば液晶素子から成る。アクチュエータ１１は、電磁コイルと磁石等から成り、対物レンズ９と収差補正素子８を保持している。レーザ光源３から発射されたレーザ光は、カップリングレンズ４で平行光束にされた後、プリズム５を通過して、収差補正素子８に入射する。そして、レーザ光は、多層式光記録媒体１の光ピックアップ２側の表面から各記録層Ｌ０、Ｌ１までに介在する基材の厚み差等により生じた収差を、収差補正素子８で各記録層Ｌ０、Ｌ１に応じて補正された後、対物レンズ９で集光されて、多層式光記録媒体１に照射される。多層式光記録媒体１で反射されたレーザ光は、対物レンズ９と収差補正素子８を通過した後、プリズム５で反射されて、集光レンズ６で集光され、光検出器７で受光されて電気信号に変換される。
【００３１】
光検出器７で変換された電気信号は、受光アンプ１２で増幅されて、信号処理回路１３へ出力される。信号処理回路１３には、受光アンプ１２から出力された電気信号より、フォーカシングエラー信号（以下、「ＦＥ信号」という。）を検出するＦＥ検出部１３ａ、トラッキングエラー信号（以下、「ＴＥ信号」という。）を検出するＴＥ検出部１３ｂ、全加算信号（以下、「ＡＳ信号」という。）を検出するＡＳ検出部１３ｃ、および多層式光記録媒体１に記録された情報の再生信号（以下、「ＲＦ信号」という。）を検出するＲＦ検出部１３ｄ等が備わっている。ＦＥ信号は、非点収差法やナイフエッジ法等の公知の検出方法で検出される。ＴＥ信号は、プッシュプル法や３ビーム法等の公知の検出方法で検出される。ＡＳ信号は、光検出部７の複数に分割された受光領域のそれぞれで受光して変換した電気信号を、受光アンプ１２で増幅した後、全て加算演算処理することによって検出される。つまり、ＡＳ信号は、多層式光記録媒体１で反射されて光検出器７で受光したレーザ光の全光量を示す信号である。
【００３２】
信号処理回路１３で検出されたＦＥ信号とＴＥ信号は、サーボ回路１７へ出力される。サーボ回路１７は、情報の再生時等に、ＦＥ信号またはＴＥ信号に基づいてアクチュエータ１１を駆動して、フォーカシングサーボまたはトラッキングサーボを行う。フォーカシングサーボは、アクチュエータ１１で対物レンズ９をフォーカシング方向（多層式光記録媒体１に対して垂直な方向）へ微小往復移動させることにより、多層式光記録媒体１に照射したレーザ光の焦点位置を多層式光記録媒体１のいずれかの記録層Ｌ０、Ｌ１に合わせる自動制御のことである。トラッキングサーボは、アクチュエータ１１で対物レンズ９をトラッキング方向（多層式光記録媒体１の径方向）へ微小往復移動させることにより、レーザ光で多層式光記録媒体１のいずれかの記録層Ｌ０、Ｌ１に設けられたトラックを追跡する自動制御のことである。
【００３３】
信号処理回路１３で検出されたＦＥ信号、ＴＥ信号、ＡＳ信号、およびＲＦ信号は、コントローラ１９へ出力される。コントローラ１９は、マイクロコンピュータから成る。レーザ制御回路１４は、レーザ光源３の駆動を制御する。スピンドルモータ１５は、多層式光記録媒体１を回転させる。モータ制御回路１６は、スピンドルモータ１５の駆動を制御する。収差補正制御回路１８は、収差補正素子８の駆動を制御する。コントローラ１９は、情報再生記録装置１０の各部を制御する。
【００３４】
また、コントローラ１９は、ＦＥ信号に基づいて多層式光記録媒体１の記録層Ｌ０、Ｌ１に対するレーザ光の焦点位置を検出する。また、コントローラ１９は、ＦＥ信号に基づいてレーザ光の焦点位置を多層式光記録媒体１の一方の記録層から他方の記録層へと移動するフォーカスジャンプを行う。また、コントローラ１９は、ＴＥ信号に基づいて多層式光記録媒体１の記録層Ｌ０、Ｌ１のトラックに対するレーザ光の照射位置を検出する。また、コントローラ１９は、ＡＳ信号に基づいてレーザ光の光量と収差を検出する。さらに、コントローラ１９は、ＲＦ信号をＴＶ（テレビジョン受像機）等へ出力する。ＲＦ信号に基づく映像や音声の情報は、ＴＶ等で再生されて出力される。ＴＶ等からコントローラ１９へは、多層式光記録媒体１に記録する映像や音声の情報の信号が入力される。該入力された信号は信号処理回路１３で処理され、該信号に基づく情報が光ピックアップ２により多層式光記録媒体１のいずれかの記録層Ｌ０、Ｌ１に記録される。
【００３５】
光検出器７は、本発明における光検出手段の一実施形態を構成する。収差補正素子８は、本発明における収差補正手段の一実施形態を構成する。受光アンプ１２は、本発明における増幅手段の一実施形態を構成する。信号処理回路１３は、本発明における信号処理手段の一実施形態を構成する。サーボ回路１７は、本発明におけるサーボ手段の一実施形態を構成する。コントローラ１９は、本発明における制御手段の一実施形態を構成する。
【００３６】
図２は、本発明の第１実施形態に係るフォーカスジャンプ処理の手順を示すフローチャートである。図３は、同フォーカスジャンプ処理中の制御パラメータと信号の時間的変化を示す図である。図２の各ステップは情報再生記録装置１０のコントローラ１９が実行する。多層式光記録媒体１の一方の記録層に対する情報の再生等が終了すると、コントローラ１９は、レーザ光の焦点位置を一方の記録層から他方の記録層へと移動するフォーカスジャンプ処理を開始する。ここでは、レーザ光の焦点位置を多層式光記録媒体１の光ピックアップ２に近い方の記録層Ｌ０から遠い方の記録層Ｌ１へと移動する場合を例に説明する（以下の他の実施形態も同様）。
【００３７】
先ず、コントローラ１９は、サーボ回路１７による現在焦点が合っている記録層Ｌ０に対するトラッキングサーボとフォーカシングサーボをＯＦＦ（トラッキングサーボループをオープン）にし、レーザ光の焦点位置を記録層Ｌ０から外し、アクチュエータ１１により対物レンズ９をジャンプ方向（記録層Ｌ０から記録層Ｌ１へ向かうフォーカシング方向）へ移動させて、フォーカスジャンプを開始する（図２のステップＳ１、図３のａ期間）。これにより、対物レンズ９は、図３に示すようにレーザ光の焦点位置がジャンプ元の記録層Ｌ０にほぼ合う位置Ｘ０から、レーザ光の焦点位置がジャンプ先の記録層Ｌ１にほぼ合う位置Ｘ１へ向かって徐々に移動して行く。対物レンズ９の位置Ｘ０、Ｘ１は、予め設定されてコントローラ１９に記録されている。また、光検出器７と受光アンプ１２を介して信号処理回路１３で検出されるＦＥ信号は、図３に示すようにレーザ光の焦点位置が記録層Ｌ０に合っていることを示す０値から、記録層Ｌ０より記録層Ｌ１側へ遠ざかったことを示す側へ振れる。本例では、このときＦＥ信号が−側へ振れるように、ＦＥ信号の極性を設定している。さらに、ＡＳ信号は、レーザ光の反射率が低下するため、高い光量値Ｒ１から徐々に低下して行く。
【００３８】
また、コントローラ１９は、フォーカスジャンプの開始前、開始と同時、または開始直後に、収差補正制御回路１８により収差補正素子８を駆動するために印加する電圧（駆動信号）を、多層式光記録媒体１のジャンプ元の記録層Ｌ０に適した収差補正値Ｙ０に対応する印加電圧Ｖ０から、ジャンプ先の記録層Ｌ１に適した収差補正値Ｙ１に対応する印加電圧Ｖ１へ変更して設定する（図２のステップＳ２、図３の期間ｂ）。これにより、収差補正素子８の収差補正値（補正状態）は、図３に実線、一点鎖線、および二点鎖線で示すように記録層Ｌ０に適した収差補正値Ｙ０から、記録層Ｌ１に適した収差補正値Ｙ１へ徐々に変化して行く。収差補正素子８の印加電圧Ｖ０、Ｖ１および収差補正値Ｙ０、Ｙ１は、予め設定されてコントローラ１９に記録されている。
【００３９】
次に、コントローラ１９は、レーザ制御回路１４によりレーザ光源３から発射するレーザ光のパワーをＰ０からＰ１へ上げる（図２のステップＳ３、図３のｃ期間）。レーザ光の焦点位置が記録層Ｌ１へ近づくに連れて、ＦＥ信号は図３に示すように＋側へ振れる。このとき、レーザ光のパワーをＰ０のままにしておくと、収差補正素子８で適切に補正されないレーザ光の収差の影響で、ＦＥ信号の振幅は図３の丸印内に破線で示すように低下する。また、ＡＳ信号は、光検出器７で受光する光量が減少するため、例えば破線で示すように低い光量値Ｒ０の近傍で推移する。然るに、上記のようにレーザ光のパワーをＰ１に上げると、光検出器７で受光する光量が増加するため、収差が発生していても、ＦＥ信号の振幅は図３の丸印内に実線で示すように最適（レーザ光の焦点位置を多層式光記録媒体１の一方の記録層から移動させて他方の記録層に合わせて、フォーカシングサーボを行える程度）に保たれる。また、ＡＳ信号は、実線で示すように上昇して、フォーカスジャンプ開始前の高い光量値Ｒ１になる。レーザ光のパワーＰ０、Ｐ１は、ＦＥ信号の振幅を最適に保つように、予め設定されてコントローラ１９に記録されている。
【００４０】
そして、コントローラ１９は、図３に示すように対物レンズ９が位置Ｘ１へ移動して、ＦＥ信号が＋側から０値に変化したことより、レーザ光の焦点位置が記録層Ｌ１に合ったことを検出すると、フォーカスジャンプが終了したので、該合焦状態を維持するようにサーボ回路１７によりフォーカシングサーボをＯＮ（フォーカシングサーボループをクローズ）にする（図２のステップＳ４、図３の期間ｄ）。次に、コントローラ１９は、収差補正素子８の応答状態に応じて、レーザ制御回路１４によりレーザ光のパワーをＰ１からＰ０へと徐々に下げて行く（図２のステップＳ５、図３の期間ｅ）。具体的には、収差補正素子８の応答状態の変化、即ち収差補正素子８による収差補正状態の変化を、例えばＡＳ信号の変化とみなし、ＡＳ信号が高い光量値Ｒ１で推移するように、レーザ光のパワーをＰ０まで徐々に下げて行く。フォーカスジャンプの終了直後は、フォーカスジャンプ時間（レーザ光の焦点位置を多層式光記録媒体１の一方の記録層から他方の記録層へ移動させるまでにかかる時間）に対する収差補正素子８の応答時間（収差補正素子８の収差補正値を多層式光記録媒体１の一方の記録層に適した値から他方の記録層に適した値に切り換えるまでにかかる時間）の遅れにより、収差が適切に補正されずに残っている。このため、レーザ光のパワーを短時間で一気にＰ０まで下げると、ＦＥ信号の振幅が収差により低下し、ＡＳ信号が高い光量値Ｒ１から低下してしまう。然るに、上記のように収差補正素子８の応答状態に応じてレーザ光のパワーをＰ０まで徐々に下げることで、フォーカスジャンプの終了後に、ＦＥ信号の振幅が収差により低下することなく最適に保たれ、ＡＳ信号が高い光量値Ｒ１で保たれる。
【００４１】
その後、コントローラ１９は、図３に示すようにレーザ光のパワーをＰ０まで下げて、収差補正素子８の収差補正値がＹ１になると（例えばＡＳ信号がフォーカスジャンプ前の値とほぼ同様の値で安定すると）、収差補正制御回路１４と収差補正素子８によりレーザ光の収差補正を微調整し、サーボ回路１７により多層式光記録媒体１の記録層Ｌ１のトラックに対するトラッキングサーボをＯＮして（図２のステップＳ６）、フォーカスジャンプ処理を終了する。
【００４２】
図４は、本発明の第２実施形態に係るフォーカスジャンプ処理の手順を示すフローチャートである。図５は、同フォーカスジャンプ処理中の制御パラメータと信号の時間的変化を示す図である。図中、第１実施形態と同値または対応する値の制御パラメータについては同一符号を用いている。フォーカスジャンプ処理を開始すると、先ず、コントローラ１９は、現在焦点が合っている記録層Ｌ０のトラックに対するトラッキングサーボＯＦＦにし（図４のステップＳ１１）、収差補正素子８の印加電圧を現在のＶ０からＶ１へ変更して設定する（図４のステップＳ１２、図５の期間ａ）。これにより、収差補正素子８の収差補正値は、図５に実線で示すように収差補正値Ｙ０から収差補正値Ｙ１へ徐々に変化して行く。また、コントローラ１９は、記録層Ｌ０に対するフォーカシングサーボをＯＦＦにして、対物レンズ９をレーザ光の焦点位置が記録層Ｌ０にほぼ合う位置Ｘ０から、記録層Ｌ１側へ若干ずれた位置Ｘ２へ動かすデフォーカスを行う（図４のステップＳ１３、図５の期間ｂ）。対物レンズ９の位置Ｘ２は、予め設定されてコントローラ１９に記録されている。
【００４３】
次に、コントローラ１９は、受光アンプ１２のゲイン（光検出器７から出力される電気信号の増幅度合い）を現在のＧ０からＧ１に上げ（図４のステップＳ１４、図５の期間ｃ）、さらにレーザ光源３から発射するレーザ光のパワーをＰ０からＰ２へ上げる（図４のステップＳ１５、図５の期間ｄ）。受光アンプ１２のゲインＧ０、Ｇ１およびレーザ光のパワーＰ２は、ＦＥ信号の振幅を最適に保つように、予め設定されてコントローラ１９に記録されている。また、受光アンプ１２のゲインとレーザ光のパワーとを上げることにより、ＦＥ信号の振幅を最適に保つので、レーザ光のパワーＰ２は、図５に示すように多層式光記録媒体１に照射するレーザ光が記録層Ｌ０、Ｌ１に記録された情報（ピット）を劣化させないような、小さな値に設定されている。例えばパワーＰ２は、図３等に示したパワーＰ１より小さくてよい。これにより、レーザ光に収差が発生していても、ＦＥ信号の振幅は図５の丸印内に実線で示すように最適に保たれる。また、ＡＳ信号は、図５に示すようにフォーカシングサーボを正常に行えるフォーカスＯＮ可能レベルＲ２から、記録層Ｌ０、Ｌ１の記録情報を劣化させずに保護できる照射光許容レベルＲ４の間で推移する。さらに、ジャンプ先の記録層Ｌ１での照射レーザパワーも、フォーカシングサーボを正常に行えるフォーカスＯＮ可能レベルＱ２から、記録層Ｌ０、Ｌ１の記録情報を劣化させずに保護できる照射光許容レベルＱ４の間で推移する。このような状態で、コントローラ１９は、対物レンズ９を位置Ｘ２から位置Ｘ１へ向かって移動させて、フォーカスジャンプを開始する（図４のステップＳ１６、図５のｅ期間）。
【００４４】
そして、コントローラ１９は、図５に示すように対物レンズ９が位置Ｘ１へ移動して、ＦＥ信号が＋側から０値に変化したことより、レーザ光の焦点位置が記録層Ｌ１に合ったことを検出すると、フォーカスジャンプが終了したので、該合焦状態を維持するようにフォーカシングサーボをＯＮにする（図４のステップＳ１７、図５の期間ｆ）。次に、コントローラ１９は、収差補正素子８の応答状態に応じて、レーザ光のパワーをＰ２からＰ２より小さくＰ１より大きいＰ３へと徐々に下げて行き（図４のステップＳ１８、図５の期間ｇ）、受光アンプ１２のゲインをＧ１からＧ０へと徐々に下げて行く（図４のステップＳ１９、図５の期間ｈ）。これにより、ＡＳ信号および記録層Ｌ１での照射レーザパワーは、図５に示すようにフォーカスＯＮ可能レベルＲ２、Ｑ２から照射光許容レベルＲ４、Ｑ４の間で推移する。このとき、レーザ光のパワーをＰ０〜Ｐ２の間で微調整し、受光アンプ１２のゲインをＧ０〜Ｇ１の間で微調整するようにしてもよい。その後、コントローラ１９は、図５に示すように収差補正素子８の収差補正値がＹ１になると（例えばＡＳ信号がＲ２〜Ｒ４の間の値で安定すると）、収差補正素子８による収差補正を微調整し、記録層Ｌ１のトラックに対するトラッキングサーボをＯＮして（図４のステップＳ２０）、フォーカスジャンプ処理を終了する。
【００４５】
図６は、本発明の第３実施形態に係るフォーカスジャンプ処理の手順を示すフローチャートである。図７は、同フォーカスジャンプ処理中の制御パラメータと信号の時間的変化を示す図である。図６中、図１と同様のステップについては同一符号を付している。また、各図中、第１実施形態と同値または対応する値の制御パラメータについては同一符号を用いている。フォーカスジャンプ処理を開始すると、コントローラ１９は、現在焦点が合っている記録層Ｌ０に対するトラッキングサーボとフォーカシングサーボをＯＦＦにし、レーザ光の焦点位置を記録層Ｌ０から外し、対物レンズ９をジャンプ方向へ移動させて、フォーカスジャンプを開始する（図６のステップＳ１、図７のａ期間）。また、コントローラ１９は、フォーカスジャンプの開始前、開始と同時、または開始直後に、収差補正素子８の印加電圧を、多層式光記録媒体１のジャンプ元の記録層Ｌ０に適した収差補正値Ｙ０に対応する印加電圧Ｖ０から、ジャンプ先の記録層Ｌ１に適した収差補正値Ｙ１に対応する印加電圧Ｖ１を超える過剰印加電圧（過剰駆動信号）Ｖ２へ一旦（所定時間）変更して設定した後、印加電圧Ｖ１へ変更して設定する（図６のステップＳ２ａ、図７の期間ｂ）。収差補正素子８の過剰印加電圧Ｖ２と該電圧Ｖ２の設定タイミングは、フォーカスジャンプの実行中に収差補正素子８の収差補正値がＹ０からＹ１に切り換わるように、予め設定されてコントローラ１９に記録されている。これにより、収差補正素子８の収差補正値は、図７に示すように記録層Ｌ０に適した収差補正値Ｙ０から急激に立ち上がって、フォーカスジャンプの実行中（対物レンズ９が位置Ｘ１に到達する前）に、記録層Ｌ１に適した収差補正値Ｙ１になる。つまり、収差補正素子８の応答時間が短縮されて、ＦＥ信号の振幅が最適に保たれつつ、フォーカスジャンプが実行される。その後、コントローラ１９は、前述したようにレーザ光の焦点位置が記録層Ｌ１に合ったことを検出すると、該合焦状態を維持するようにフォーカシングサーボをＯＮにする（図６のステップＳ４、図７の期間ｄ）。そして、コントローラ１９は、前述したように収差補正素子８によるレーザ光の収差補正を微調整し、記録層Ｌ１のトラックに対するトラッキングサーボをＯＮして（図６のステップＳ６）、フォーカスジャンプ処理を終了する。
【００４６】
図８は、本発明の第４実施形態に係るフォーカスジャンプ処理の手順を示すフローチャートである。図中、図１と同様のステップについては同一符号を付している。また、第１および第２実施形態と同値または対応する値の制御パラメータについては同一符号を用いている。本第４実施形態では、フォーカスジャンプ処理を開始すると、コントローラ１９は、前述したようにステップＳ１、Ｓ２を実行し、受光アンプ１２のゲインをフォーカスジャンプ開始前のＧ０からＧ２に上げる（ステップＳ３ａ）。受光アンプ１２のゲインＧ２は、ＦＥ信号の振幅を最適に保つように、予め設定されてコントローラ１９に記録されている。また、受光アンプ１２のゲインを上げるだけで、ＦＥ信号の振幅を最適に保つので、ゲインＧ２は、図４および図５で説明したゲインＧ１より大きな値に設定されている。これにより、レーザ光に収差が発生していても、ＦＥ信号の振幅が最適に保たれつつ、フォーカスジャンプが実行される。その後、コントローラ１９は、前述したようにレーザ光の焦点位置が記録層Ｌ１に合ったことを検出すると、該合焦状態を維持するようにフォーカシングサーボをＯＮにし（ステップＳ４）、収差補正素子８の応答状態に応じて、受光アンプ１２のゲインをＧ２からＧ０へと徐々に下げて行く（ステップＳ５ａ）。そして、前述したように収差補正素子８によるレーザ光の収差補正を微調整し、記録層Ｌ１のトラックに対するトラッキングサーボをＯＮして（ステップＳ６）、フォーカスジャンプ処理を終了する。
【００４７】
図９は、本発明の第５実施形態に係るフォーカスジャンプ処理の手順を示すフローチャートである。図中、図１と同様のステップについては同一符号を付している。また、第１および第２実施形態と同値または対応する値の制御パラメータについては同一符号を用いている。本第５実施形態では、フォーカスジャンプ処理を開始すると、コントローラ１９は、前述したようにステップＳ１、Ｓ２を実行し、レーザ光源３から発射するレーザ光のパワーをＰ０からＰ２へ上げるとともに、受光アンプ１２のゲインをフォーカスジャンプ開始前のＧ０からＧ１に上げる（ステップＳ３ｂ）。これにより、レーザ光に収差が発生していても、ＦＥ信号の振幅が最適に保たれつつ、フォーカスジャンプが実行される。その後、コントローラ１９は、前述したようにレーザ光の焦点位置が記録層Ｌ１に合ったことを検出すると、該合焦状態を維持するようにフォーカシングサーボをＯＮにし（ステップＳ４）、収差補正素子８の応答状態に応じて、レーザ光のパワーをＰ２からＰ０へ下げるとともに、受光アンプ１２のゲインをＧ１からＧ０へ下げる（ステップＳ５ｂ）。そして、前述したように収差補正素子８によるレーザ光の収差補正を微調整し、記録層Ｌ１のトラックに対するトラッキングサーボをＯＮして（ステップＳ６）、フォーカスジャンプ処理を終了する。
【００４８】
図１０は、本発明の第６実施形態に係るフォーカスジャンプ処理の手順を示すフローチャートである。図中、図１および図３と同様のステップについては同一符号を付している。また、第１および第３実施形態と同値または対応する値の制御パラメータについては同一符号を用いている。本第６実施形態では、フォーカスジャンプ処理を開始すると、コントローラ１９は、前述したようにステップＳ１を実行し、前述したように収差補正素子８の印加電圧を、多層式光記録媒体１のジャンプ元の記録層Ｌ０に適した印加電圧Ｖ０から、過剰印加電圧Ｖ２へ一旦（所定時間）変更して設定した後、ジャンプ先の記録層Ｌ１に適した印加電圧Ｖ１へ変更して設定する（ステップＳ２ａ）。これにより、フォーカスジャンプの実行中に、収差補正素子８の収差補正値が記録層Ｌ０に適した収差補正値Ｙ０から記録層Ｌ１に適した収差補正値Ｙ１になり、収差補正素子８の応答時間が短縮される。次に、コントローラ１９は、レーザ光源３から発射するレーザ光のパワーをＰ０からＰ４へ上げる（ステップＳ３ｃ）。レーザ光のパワーＰ４は、ＦＥ信号の振幅を最適に保つように、予め設定されてコントローラ１９に記録されている。また、収差補正素子８の印加電圧とレーザ光のパワーとを上げることにより、ＦＥ信号の振幅を最適に保つので、レーザ光のパワーＰ４は、多層式光記録媒体１に照射するレーザ光が記録層Ｌ０、Ｌ１の記録情報を劣化させないような、小さな値に設定されている。上記により、レーザ光に収差が発生していても、ＦＥ信号の振幅が最適に保たれつつ、フォーカスジャンプが実行される。その後、コントローラ１９は、前述したようにレーザ光の焦点位置が記録層Ｌ１に合ったことを検出すると、該合焦状態を維持するようにフォーカシングサーボをＯＮにし（ステップＳ４）、収差補正素子８の応答状態に応じて、レーザ光のパワーをＰ４からＰ０へ下げる（ステップＳ５ｃ）。そして、前述したように収差補正素子８によるレーザ光の収差補正を微調整し、記録層Ｌ１のトラックに対するトラッキングサーボをＯＮして（ステップＳ６）、フォーカスジャンプ処理を終了する。
【００４９】
図１１は、本発明の第７実施形態に係るフォーカスジャンプ処理の手順を示すフローチャートである。図中、図４および図６と同様のステップについては同一符号を付している。また、第１〜第３実施形態と同値または対応する値の制御パラメータについては同一符号を用いている。本第７実施形態では、フォーカスジャンプ処理を開始すると、コントローラ１９は、前述したようにステップＳ１１を実行し、収差補正素子８の印加電圧を、多層式光記録媒体１のジャンプ元の記録層Ｌ０に適した印加電圧Ｖ０から、過剰印加電圧Ｖ２へ一旦（所定時間）変更して設定した後、ジャンプ先の記録層Ｌ１に適した印加電圧Ｖ１へ変更して設定する（ステップＳ２ａ）。これにより、フォーカスジャンプの実行中に、収差補正素子８の収差補正値が記録層Ｌ０に適した収差補正値Ｙ０から記録層Ｌ１に適した収差補正値Ｙ１になり、収差補正素子８の応答時間が短縮される。そして、コントローラ１９は、前述したようにフォーカシングサーボをＯＦＦにして、対物レンズ９を位置Ｘ２へ動かすデフォーカスを行い（ステップＳ１３）、受光アンプ１２のゲインをＧ１に上げ（ステップＳ１４）、レーザ光源３から発射するレーザ光のパワーをＰ２へ上げ（ステップＳ１５）、対物レンズ９を位置Ｘ１へ向かって移動させて、フォーカスジャンプを開始する（ステップＳ１６）。このとき、レーザ光に収差が発生していても、ＦＥ信号の振幅が最適に保たれつつ、フォーカスジャンプが実行される。その後、コントローラ１９は、前述したようにレーザ光の焦点位置が記録層Ｌ１に合ったことを検出すると、該合焦状態を維持するようにフォーカシングサーボをＯＮにし（ステップＳ１７）、収差補正素子８の応答状態に応じて、レーザ光のパワーをＰ３へ下げ（ステップＳ１８）、受光アンプ１２のゲインをＧ０へ下げ（ステップＳ１９）、収差補正素子８による収差補正を微調整し、記録層Ｌ１のトラックに対するトラッキングサーボをＯＮして（ステップＳ２０）、フォーカスジャンプ処理を終了する。
【００５０】
図１２は、本発明の第８実施形態に係るフォーカスジャンプ処理の手順を示すフローチャートである。図中、図１、図３、および図８と同様のステップについては同一符号を付している。また、第１、第３、および第４実施形態と同値または対応する値の制御パラメータについては同一符号を用いている。本第８実施形態では、フォーカスジャンプ処理を開始すると、コントローラ１９は、前述したようにステップＳ１を実行し、前述したように収差補正素子８の印加電圧を、多層式光記録媒体１のジャンプ元の記録層Ｌ０に適した印加電圧Ｖ０から、過剰印加電圧Ｖ２へ一旦変更して設定した後、ジャンプ先の記録層Ｌ１に適した印加電圧Ｖ１へ変更して設定する（ステップＳ２ａ）。次に、コントローラ１９は、受光アンプ１２のゲインをフォーカスジャンプ開始前のＧ０からＧ２に上げる（ステップＳ３ａ）。上記により、レーザ光に収差が発生していても、ＦＥ信号の振幅が最適に保たれつつ、フォーカスジャンプが実行される。その後、コントローラ１９は、前述したようにレーザ光の焦点位置が記録層Ｌ１に合ったことを検出すると、該合焦状態を維持するようにフォーカシングサーボをＯＮにし（ステップＳ４）、収差補正素子８の応答状態に応じて、受光アンプ１２のゲインをＧ２からＧ０へ下げる（ステップＳ５ａ）。そして、前述したように収差補正素子８によるレーザ光の収差補正を微調整し、記録層Ｌ１のトラックに対するトラッキングサーボをＯＮして（ステップＳ６）、フォーカスジャンプ処理を終了する。
【００５１】
上述した実施形態では、レーザ光の収差を補正するために収差補正素子８と収差補正制御回路１８とを備えた情報再生記録装置１０に、本発明を適用した例を挙げているが、本発明は、収差補正素子８と収差補正制御回路１８とを備えていない図１３に示すような情報再生記録装置１０ａにも適用することができる。図１３中、図１と同一または対応する箇所には同一符号を付している。図１４および図１５は、情報再生記録装置１０ａにおいて実行される、本発明の第９および第１０実施形態に係るフォーカスジャンプ処理の手順を示すフローチャートである。各図中、図１または図２と同様のステップについては同一符号を付している。また、第１または第２実施形態と同値または対応する値の制御パラメータについては同一符号を用いている
【００５２】
図１４に示す第９実施形態では、フォーカスジャンプ処理を開始すると、コントローラ１９は、前述したように多層式光記録媒体１の記録層Ｌ０に対するトラッキングサーボとフォーカシングサーボをＯＦＦにし、レーザ光の焦点位置を記録層Ｌ０から外し、アクチュエータ１１により対物レンズ９をジャンプ方向へ移動させて、フォーカスジャンプを開始する（ステップＳ１）。これにより、図３に示したように対物レンズ９は位置Ｘ０から位置Ｘ１へ向かって徐々に移動して行き、ＦＥ信号は０値から−側へ振れ、ＡＳ信号は高い光量値Ｒ１から徐々に低下して行く。次に、コントローラ１９は、前述したようにレーザ光源３から発射するレーザ光のパワーをＰ０からＰ１へ上げる（ステップＳ３）。これにより、光検出器７で受光する光量が増加するため、ＦＥ信号の振幅が最適に保たれつつ、フォーカスジャンプが実行される。その後、コントローラ１９は、前述したようにレーザ光の焦点位置が記録層Ｌ１に合ったことを検出すると、該合焦状態を維持するようにサーボ回路１７によりフォーカシングサーボをＯＮにする（ステップＳ４）。そして、コントローラ１９は、このときレーザ光に収差が発生しているため、ＦＥ信号の振幅を低下させないように、レーザ光のパワーをＰ１で保持した状態で、記録層Ｌ１のトラックに対するトラッキングサーボをＯＮして（ステップＳ６ａ）、フォーカスジャンプ処理を終了する。
【００５３】
図１５に示す第１０実施形態では、フォーカスジャンプ処理を開始すると、コントローラ１９は、前述したように多層式光記録媒体１の記録層Ｌ０に対するトラッキングサーボをＯＦＦにする（ステップＳ１１）。そして、コントローラ１９は、前述したようにフォーカシングサーボをＯＦＦにして、対物レンズ９を位置Ｘ２へ動かすデフォーカスを行い（ステップＳ１３）、受光アンプ１２のゲインをＧ１に上げ（ステップＳ１４）、レーザ光源３から発射するレーザ光のパワーをＰ２へ上げ（ステップＳ１５）、対物レンズ９を位置Ｘ１へ向かって移動させて、フォーカスジャンプを開始する（ステップＳ１６）。これにより、ＦＥ信号の振幅が最適に保たれつつ、フォーカスジャンプが実行される。その後、コントローラ１９は、前述したようにレーザ光の焦点位置が記録層Ｌ１に合ったことを検出すると、該合焦状態を維持するようにフォーカシングサーボをＯＮにする（ステップＳ１４）。そして、コントローラ１９は、このときレーザ光に収差が発生しているため、ＦＥ信号の振幅を低下させないように、レーザ光のパワーをＰ１で保持するとともに、受光アンプ１２のゲインをＧ１で保持した状態で、記録層Ｌ１のトラックに対するトラッキングサーボをＯＮして（ステップＳ２０ａ）、フォーカスジャンプ処理を終了する。
【００５４】
以上によると、フォーカスジャンプの際に、多層式光記録媒体１に照射するレーザ光に収差が生じていても、レーザ光源３から発射するレーザ光のパワーを上げること、受光アンプ１２のゲインを上げること、または収差補正素子８の印加電圧を過剰にして応答時間を短縮することの少なくとも一方を行うことで、ＦＥ信号の振幅を最適に保つことができる。このため、該ＦＥ信号に基づいてフォーカスジャンプを安定かつ高精度に実行することができ、フォーカス引き込みの失敗や光ピックアップ２の対物レンズ９と多層式光記録媒体１との衝突等の発生を防止して、フォーカスジャンプの信頼性を向上させることが可能となる。
【００５５】
詳しくは、レーザ光のパワーを上げることで、光検出器７で受光する反射レーザ光の光量が増加するため、レーザ光に収差が発生していても、ＦＥ信号の振幅を最適に保つことができる。また、受光アンプ１２のゲインを上げることで、光検出器７で変換された電気信号が適切に増幅されるため、レーザ光に収差が発生していても、ＦＥ信号の振幅を最適に保つことができる。また、収差補正素子８の印加電圧を過剰にして応答時間を短縮することで、フォーカスジャンプの実行中に、収差補正素子８によりレーザ光の収差を適切に補正して、ＦＥ信号の振幅を最適に保つことができる。また、受光アンプ１２のゲインを上げることと、収差補正素子８の応答時間を短縮することの両方を行うことで、フォーカスジャンプの際に、収差補正素子８の収差補正値が多層式光記録媒体１の一方の記録層に適した値から他方の記録層に適した値に切り換わるまでの間、即ちレーザ光の収差が適切に補正されていない間は、受光アンプ１２のゲインを上げたことにより、ＦＥ信号の振幅を最適に保つことができ、収差補正値の切り換え終了後は、レーザ光の収差が適切に補正されたことにより、ＦＥ信号の振幅を最適に保つことができる。
【００５６】
また、レーザ光のパワーを上げ過ぎると、多層式光記録媒体１の記録層Ｌ０、Ｌ１の記録情報を劣化させてしまうおそれがある。然るに、上述したようにフォーカスジャンプの際に、受光アンプ１２のゲインを上げることと、収差補正素子８の応答時間を短縮することの少なくとも一方を行うことで、またはそれに加えてレーザ光のパワーを記録層Ｌ０、Ｌ１の記録情報を劣化させない程度に上げることで、ＦＥ信号の振幅を最適に保ちつつ、記録層Ｌ０、Ｌ１の記録情報を保護することができる。
【００５７】
また、フォーカスジャンプの実行前にまたは実行と同時に、収差補正素子８の印加電圧および収差補正値を多層式光記録媒体１の一方の記録層に適した値から他方の記録層に適した値へ切り換え始めることで、従来のように収差補正状態の切り替えが完了してからフォーカスジャンプを開始するよりも、フォーカスジャンプの開始時刻を早めることができるとともに、フォーカスジャンプを終了してから収差補正値の切り換えが終了するまでにかかる時間を短縮することができ、フォーカスジャンプ処理全体の処理時間の短縮を図ることが可能となる。特に、フォーカスジャンプの実行前に、収差補正素子８の駆動信号を切り換えることで、より一層かつ確実に、フォーカスジャンプの開始時刻を早めて、フォーカスジャンプ終了から収差補正値の切り換え終了までのタイムラグを短縮し、フォーカスジャンプ処理全体の処理時間の短縮を図ることが可能となる。
【００５８】
また、受光アンプ１２のゲインとレーザ光のパワーとを上げ始めてから、フォーカスジャンプを実行することで、振幅を最適に保ったＦＥ信号に基づいて、レーザ光の焦点位置を多層式光記録媒体１の一方の記録層から他方の記録層へ移動させて高精度に合わせることができる。
【００５９】
また、フォーカスジャンプの終了直後は、フォーカスジャンプ時間に対する収差補正素子８の応答時間の遅れにより、収差が適切に補正されずに残っているため、レーザ光のパワーを短時間で一気に下げると、該収差によりＦＥ信号の振幅が低下してしまう。然るに、上述したように収差補正素子８の応答状態に応じて、レーザ光のパワーや受光アンプ１２のゲインを下げることで、フォーカスジャンプの終了後に、ＦＥ信号の振幅を上記収差により低下させることなく、最適に保つことができる。このため、該ＦＥ信号に基づいてフォーカシングサーボを安定かつ高精度に実行して、レーザ光の焦点位置がジャンプ先の記録層からずれるのを防止することが可能となる。
【００６０】
また、フォーカスジャンプの開始前に、レーザ光の焦点位置を多層式光記録媒体１のジャンプ元の記録層に合わせた状態で、レーザ光のパワーを上げると、ジャンプ元の記録層の記録情報を劣化させてしまうおそれがある。然るに、上述したようにレーザ光の焦点位置をジャンプ元の記録層からジャンプ先の記録層側へ若干ずらすデフォーカスを行ってから、レーザ光のパワーを上げることで、ジャンプ元の記録層の記録情報の劣化を防止して、該記録情報を保護することができる。
【００６１】
さらに、フォーカスジャンプの実行中や収差補正素子８の収差補正値の切り換え中に、トラッキングサーボおよびフォーカシングサーボをＯＦＦすることで、トラッキングサーボおよびフォーカシングサーボが大きく外れて、光ピックアップ２がトラッキング方向（多層式光記録媒体１の径方向）およびフォーカシング方向（多層式光記録媒体１に対して垂直な方向）に大きく振れて振動するのを防止することができ、光ピックアップ２と多層式光記録媒体１との衝突を確実に回避することが可能となる。
【００６２】
本発明は、以上の実施形態以外にも種々の形態を採用することができる。例えば、以上の実施形態では、多層式光記録媒体１の光ピックアップ２に近い記録層Ｌ０から遠い記録層Ｌ１へとフォーカスジャンプを実行する場合を例に挙げたが、本発明は、多層式光記録媒体の光ピックアップに遠い記録層から近い記録層へとフォーカスジャンプを実行する場合にも適用することができる。
【００６３】
また、以上の実施形態では、２つの記録層Ｌ０、Ｌ１が設けられた多層式光記録媒体１に対して情報の再生と記録が可能な情報再生記録装置１０、１０ａに本発明を適用した例を挙げたが、本発明は、３つ以上の記録層が設けられた多層式光記録媒体に対して情報の再生と記録が可能な情報再生記録装置や、多層式光記録媒体に対して情報の再生のみ可能な再生専用装置にも適用することが可能である。
【図面の簡単な説明】
【００６４】
【図１】本発明の実施形態に係る情報再生記録装置の構成図である。
【図２】第１実施形態に係るフォーカスジャンプ処理のフローチャートである。
【図３】同フォーカスジャンプ処理中の制御パラメータと信号の時間的変化を示す図である。
【図４】第２実施形態に係るフォーカスジャンプ処理のフローチャートである。
【図５】同フォーカスジャンプ処理中の制御パラメータと信号の時間的変化を示す図である。
【図６】第３実施形態に係るフォーカスジャンプ処理のフローチャートである。
【図７】同フォーカスジャンプ処理中の制御パラメータと信号の時間的変化を示す図である。
【図８】第４実施形態に係るフォーカスジャンプ処理のフローチャートである。
【図９】第５実施形態に係るフォーカスジャンプ処理のフローチャートである。
【図１０】第６実施形態に係るフォーカスジャンプ処理のフローチャートである。
【図１１】第７実施形態に係るフォーカスジャンプ処理のフローチャートである。
【図１２】第８実施形態に係るフォーカスジャンプ処理のフローチャートである。
【図１３】本発明の他の実施形態に係る情報再生記録装置の構成図である。
【図１４】第９実施形態に係るフォーカスジャンプ処理のフローチャートである。
【図１５】第１０実施形態に係るフォーカスジャンプ処理のフローチャートである。
【符号の説明】
【００６５】
１  多層式光記録媒体
２  光ピックアップ
３  レーザ光源
７  光検出器
８  収差補正素子
９  対物レンズ
１０、１０ａ  情報再生記録装置
１２  受光アンプ
１３  信号処理回路
１７  サーボ回路
１９  コントローラ
Ｌ０、Ｌ１  記録層
【図１】
2008034058.tif 000003
【図２】
2008034058.tif 000004
【図３】
2008034058.tif 000005
【図４】
2008034058.tif 000006
【図５】
2008034058.tif 000007
【図６】
2008034058.tif 000008
【図７】
2008034058.tif 000009
【図８】
2008034058.tif 000010
【図９】
2008034058.tif 000011
【図１０】
2008034058.tif 000012
【図１１】
2008034058.tif 000013
【図１２】
2008034058.tif 000014
【図１３】
2008034058.tif 000015
【図１４】
2008034058.tif 000016
【図１５】
2008034058.tif 000017